(57)【要約】  本発明は、ハウジング（１２）と、このハウジング内に受容された、モータ（９８）及び前記モータ（９８）により駆動される高圧ポンプ（１０４）を有するモータポンプユニット（９６）と、前記ハウジング（１２）内に配置又は形成された、前記モータポンプユニット（９６）を冷却するための、冷却空気用の少なくとも１つの冷却空気チャネル（６４、６８）とを含む空冷式の高圧洗浄装置であって、前記冷却空気チャネル（６４、６８）が、少なくとも１つのハウジング開口（３０、３２）により大気に流体接続される高圧洗浄装置に関する。騒音放出の少ない、その種の高圧洗浄装置を提供するために、本発明によれば、前記高圧洗浄装置は、前記少なくとも１つの冷却空気チャネル（６４、６８）に流体接続されると共に前記モータポンプユニット（９６）を少なくとも部分的に包囲する空気案内部（１１４）と、前記空気案内部（１１４）を前記ハウジング（１２）上に支持される減衰要素（１２８）とを特徴とすることが提案される。
2018535821.tif 000002
【特許請求の範囲】
【請求項１】
ハウジング（１２）と、該ハウジング内に受容された、モータ（９８）及び前記モータにより駆動される高圧ポンプ（１０４）を有するモータポンプユニット（９６）と、前記ハウジング（１２）内に配置又は形成された、前記モータポンプユニット（９６）を冷却するための、冷却空気用の少なくとも１つの冷却空気チャネル（６４、６８）とを含む空冷式の高圧洗浄装置であって、
前記冷却空気チャネル（６４、６８）が、少なくとも１つのハウジング開口（３０、３２）により大気に流体接続される高圧洗浄装置において、
前記少なくとも１つの冷却空気チャネル（６４、６８）に流体接続されると共に前記モータポンプユニット（９６）を少なくとも部分的に包囲する空気案内部（１１４）と、前記空気案内部（１１４）を前記ハウジング（１２）上に支持する減衰要素（１２８）とを特徴とする高圧洗浄装置。
【請求項２】
請求項１に記載の高圧洗浄装置であって、前記空気案内部（１１４）が、前記ハウジング（１２）及び／又は前記少なくとも１つの冷却空気チャネル（６４、６８）の壁と直接接触しないこと、を特徴とする高圧洗浄装置。
【請求項３】
請求項１又は２に記載の高圧洗浄装置であって、前記空気案内部（１１４）が、前記モータポンプユニット（９６）の全長又はほぼ全長に亘って延びること、を特徴とする高圧洗浄装置。
【請求項４】
請求項１〜３のいずれか１項に記載の高圧洗浄装置であって、前記空気案内部（１１４）が、外殻の形態にて前記モータポンプユニット（９６）を包囲すると共に、少なくとも一端側、特に端面（１１６、１２２）に開口（１１８、１２４）を有し、該開口（１１８、１２４）を介して前記少なくとも１つの冷却空気チャネル（６４、６８）と前記空気案内部（１１４）とが互いの中に通じていること、を特徴とする高圧洗浄装置。
【請求項５】
請求項４に記載の高圧洗浄装置であって、前記少なくとも１つの冷却空気チャネル（６４、６８）と前記空気案内部（１１４）との間に封止式の流体接続を提供するために、封止要素（１２０、１２６）が、前記少なくとも１つの開口（１１８、１２４）の縁上に配置されること、を特徴とする高圧洗浄装置。
【請求項６】
請求項４又は５に記載の高圧洗浄装置であって、前記モータポンプユニット（９６）が、前記モータ（９８）のシャフト（１００）により駆動されるファンホイール（１１２）を有し、前記ファンホイール（１１２）が、前記空気案内部（１１４）の開口（１１８）に配置され、前記モータポンプユニット（９６）の表面に冷却空気を運搬すること、を特徴とする高圧洗浄装置。
【請求項７】
請求項４〜６のいずれか１項に記載の高圧洗浄装置であって、
ポンプ入力ダクト（１０８）及び／又はポンプ出力ダクト（１１０）が、前記空気案内部（１１４）から該空気案内部の端側開口（１２４）を通って供給されること、又は
前記高圧ポンプ（１０４）のポンプヘッド（１０６）が、前記開口（１２４）を通過すること、
を特徴とする高圧洗浄装置。
【請求項８】
請求項１〜７のいずれか１項に記載の高圧洗浄装置であって、前記ハウジング（１２）が、ハウジング壁（８４、８６）を有し又は形成し、前記減衰要素（１２８）が、前記ハウジング壁と前記空気案内部（１１４）との間に位置決めされて前記ハウジング壁（８４、８６）上で支持されること、を特徴とする高圧洗浄装置。
【請求項９】
請求項８に記載の高圧洗浄装置であって、前記ハウジング壁（８４、８６）が、前記モータポンプユニット（９６）の軸方向に対して交差方向に配向されること、を特徴とする高圧洗浄装置。
【請求項１０】
請求項１〜９のいずれか１項に記載の高圧洗浄装置であって、前記減衰要素（１２８）が、輪状に又はリング切片状に構成され、各々が、前記空気案内部（１１４）を、好適には前記モータポンプユニット（９６）の軸方向に対して交差方向である平面内で、少なくとも部分的に包囲すること、を特徴とする高圧洗浄装置。
【請求項１１】
請求項１〜１０のいずれか１項に記載の高圧洗浄装置であって、前記モータポンプユニット（９６）の軸方向に関して互いから離間された少なくとも２つの位置に、それぞれ、少なくとも１つの減衰要素（１２８）が、前記空気案内部（１１４）を前記ハウジング（１２）上で支持するために配置されること、を特徴とする高圧洗浄装置。
【請求項１２】
請求項１〜１１のいずれか１項に記載の高圧洗浄装置であって、前記減衰要素（１２８）が、ゴム材料又はプラスチック材料から作られること、を特徴とする高圧洗浄装置。
【請求項１３】
請求項１〜１２のいずれか１項に記載の高圧洗浄装置であって、前記少なくとも１つの冷却空気チャネル（６４、６８）が、少なくとも断面において、前記ハウジング（１２）の外壁（２８）と、前記外壁（２８）から距離をおいたところで前記ハウジング（１２）により含まれる又は形成される少なくとも１つの更なるチャネル壁（３４、３６、３８、５０）との間に形成されること、を特徴とする高圧洗浄装置。
【請求項１４】
請求項１〜１３のいずれか１項に記載の高圧洗浄装置であって、前記少なくとも１つの冷却空気チャネル（６４、６８）のチャネル区域（７０、８２）が、前記高圧洗浄装置（１０）の長手方向（７２）に走り、前記高圧洗浄装置（１０）の交差方向（７６）において該高圧洗浄装置の全幅又はほぼ全幅に亘って延びること、を特徴とする高圧洗浄装置。
【請求項１５】
請求項１〜１４のいずれか１項に記載の高圧洗浄装置であって、前記少なくとも１つの冷却空気チャネル（６４、６８）が、少なくとも断面において、内側を音吸収材料（７８）によりライニングされること、を特徴とする高圧洗浄装置。
【請求項１６】
請求項１〜１５のいずれか１項に記載の高圧洗浄装置であって、前記少なくとも１つの冷却空気チャネル（６４、６８）が有角のやり方で構成されること、及び
前記少なくとも１つの冷却空気チャネル（６４、６８）を流通する前記冷却空気が、好適には約９０°の少なくとも一度の向け先変更を受けること、
を特徴とする高圧洗浄装置。
【請求項１７】
請求項１〜１６のいずれか１項に記載の高圧洗浄装置であって、前記モータポンプユニット（９６）が、前記少なくとも１つの冷却空気チャネル（６４、６８）のチャネル区域（７０、８２）と平行に配向され、前記チャネル区域（７０、８２）及び前記空気案内部（１１４）を流通する前記冷却空気が、二度、それぞれ好適には約９０°の向け先変更を受けること、を特徴とする高圧洗浄装置。
【請求項１８】
請求項１〜１７のいずれか１項に記載の高圧洗浄装置であって、前記高圧洗浄装置（１０）が、第１冷却空気チャネル（６４）と第２冷却空気チャネル（６８）とを有し、前記第１冷却空気チャネル（６４）を通って大気からの冷却空気が前記モータポンプユニット（９６）に供給可能であり、前記第２冷却空気チャネル（６８）を通って冷却空気が前記モータポンプユニット（９６）から大気中へと除去可能であること、を特徴とする高圧洗浄装置。
【請求項１９】
請求項１８に記載の高圧洗浄装置であって、前記モータポンプユニット（９６）及び前記空気案内部（１１４）が、前記モータポンプユニット（９６）と平行に走る前記第１及び第２冷却空気チャネル（６４、６８）のチャネル区域（７０、８２）の間に配置されること、及び
前記冷却空気が、前記第１冷却空気チャネル（６４）、前記空気案内部（１１４）、及び前記第２冷却空気チャネル（６８）を、蛇行して、特に直角に蛇行して流通すること、
を特徴とする高圧洗浄装置。
【請求項２０】
請求項１９に記載の高圧洗浄装置であって、前記第１冷却空気チャネル（６４）の前記チャネル区域（７０）が前記モータポンプユニット（９６）の上方に配置され、前記第２冷却空気チャネル（６８）の前記チャネル区域（８２）が前記モータポンプユニットの下方に配置されること、を特徴とする高圧洗浄装置。
【請求項２１】
請求項１８〜２０のいずれか１項に記載の高圧洗浄装置であって、冷却空気を前記第１冷却空気チャネル（６４）内に進入させるハウジング開口（３０）、及び、冷却空気を前記第２冷却空気チャネル（６８）から退出させるハウジング開口（３２）が、前記ハウジング（１２）上で互いから遠く離れた側に配置されること、を特徴とする高圧洗浄装置。
【請求項２２】
請求項１８〜２１のいずれか１項に記載の高圧洗浄装置であって、冷却空気を前記第１冷却空気チャネル（６４）内に進入させるハウジング開口（３０）が、冷却空気を前記第２冷却空気チャネル（６８）から退出させるハウジング開口（３２）の上方に位置決めされること、を特徴とする高圧洗浄装置。
【請求項２３】
請求項１〜２２のいずれか１項に記載の高圧洗浄装置であって、前記モータポンプユニット（９６）が、前記ハウジング（１２）内で水平に配向されること、を特徴とする高圧洗浄装置。
【請求項２４】
請求項１〜２３のいずれか１項に記載の高圧洗浄装置であって、
前記ハウジング（１２）が２つのハウジング半殻（１４、１６）を有し、
前記モータポンプユニット（９６）が、該モータポンプユニットを包囲する前記空気案内部（１１４）と併せて、前記ハウジング半殻（１４、１６）の間に位置決めされると共に、各々のハウジング半殻（１４、１６）のハウジング壁（８４、８６）の端面上で、前記減衰要素（１２８）によって支持され、前記ハウジング半殻（１４、１６）が、それぞれ他方のハウジング半殻（１４、１６）の方を向くこと、
を特徴とする高圧洗浄装置。
【請求項２５】
請求項１〜２４のいずれか１項に記載の高圧洗浄装置であって、前記高圧ポンプ（１０４）が、軸方向ピストンポンプであること、を特徴とする高圧洗浄装置。
【発明の詳細な説明】
【技術分野】
【０００１】
本発明は、ハウジングと、このハウジング内に受容された、モータ及び前記モータにより駆動される高圧ポンプを有するモータポンプユニットと、前記ハウジング内に配置又は形成された、前記モータポンプユニットを冷却するための、冷却空気用の少なくとも１つの冷却空気チャネルとを含む空冷式の高圧洗浄装置であって、前記冷却空気チャネルが、少なくとも１つのハウジング開口により大気に流体接続される高圧洗浄装置に関する。
【背景技術】
【０００２】
高圧洗浄装置を冷却するために水冷却システム及び空気冷却システムが使用される。水冷却システムによって、モータポンプユニットの効果的な冷却を達成することができるが、必要となる設備費が空気冷却システムよりも高い。効果的な空気冷却を提供するには、特に極力大きい体積流量の冷却空気をモータポンプユニットに供給すべきである。この目的で、冷却空気が例えば大気からモータポンプユニットにそこを通って供給される少なくとも１つの冷却空気チャネルをハウジング内に形成することが知られている。冷却空気が流れることに起因した空中音及び作動中のモータポンプユニットに起因した構造伝播音が、実際に小さくない作動音放出につながる。高圧洗浄装置を用いた作業を使用者にとって極力心地よいものにするために及び考えられる防音要件を満たすために、騒音放出を極力少なく保つことが望ましい。
【０００３】
DE 41 06 955 A1が、一般的な空冷式高圧洗浄装置を記載する。
【０００４】
DE 10 2008 009 246 A1にも空冷式高圧洗浄装置が記載される。
【先行技術文献】
【特許文献】
【０００５】
【特許文献１】DE 41 06 955 A1
【特許文献２】DE 10 2008 009 246 A1
【発明の概要】
【発明が解決しようとする課題】
【０００６】
本発明の目的は、騒音放出のより少ない、上で言及された種類の高圧洗浄装置を提供することである。
【課題を解決するための手段】
【０００７】
この目的は、本発明によれば、前記少なくとも１つの冷却空気チャネルに流体接続されると共に前記モータポンプユニットを少なくとも部分的に包囲する空気案内部と、前記空気案内部を前記ハウジング上に支持する減衰要素とを特徴とする一般的な高圧洗浄装置により達成される。
【０００８】
本発明による前記高圧洗浄装置内には、前記モータポンプユニットを少なくとも部分的に包囲する空気案内部が存在する。冷却空気が前記少なくとも１つの冷却空気チャネル及び前記空気案内部を流通し、これによって前記モータポンプユニットの効果的な冷却を確実にすることができる。少なくとも１つの冷却空気チャネル、特に大気からの冷却空気が前記空気案内部にそれを介して供給される冷却空気チャネルが設けられる。別法として又は付加的に、冷却空気が前記空気案内部から冷却空気チャネルを介して大気中に解放されることを実現することができる。前記少なくとも１つの冷却空気チャネルにより冷却空気流の均質化が可能になるため、本発明による前記高圧洗浄装置内を前記空気が流れる結果としての前記騒音放出を、極力少なく保つことができる。更に前記空気案内部が前記ハウジング上でそれによって支持される前記減衰要素が、設けられる。前記減衰要素により、前記ハウジングに対する前記空気案内部の振動緩和を確実にすることができる。これによって、前記空気案内部を前記減衰要素によって、例えばハウジング壁上で又は、前記ハウジング内に配置される又はこのハウジングにより形成されるその他の種類の支持要素（突起物、台座、中間壁等）上で、支持することができる。前記振動緩和に起因して、構造伝播音から生ずる前記高圧洗浄装置の騒音放出は更に低減することができ、結果として特に静かな高圧洗浄装置を実現することができる。
【０００９】
前記空気案内部が、前記ハウジング及び／又は前記少なくとも１つの冷却空気チャネルの壁と直接接触しないと有利である。このようにして、前記空気案内部の振動は、前記ハウジング特に前記少なくとも１つの冷却空気チャネルの壁に、直接には伝達されない。その代わりとして、前記空気案内部の振動の減衰において前記減衰要素が効果的なものになる。
【００１０】
これに応じて、前記モータポンプユニットが前記ハウジング及び／又は前記少なくとも１つの冷却空気チャネルの壁と直接接触しないと好ましい。
【００１１】
好適には、前記空気案内部は、前記モータポンプユニットの全長又はほぼ全長に亘って延びる。このことにより、前記モータポンプユニットの全長又はほぼ全長に亘って冷却空気流を規定することを確実にすることができる。前記モータポンプユニットの個々の区域、例えば前記モータポンプユニットの端面のポンプヘッド、ポンプ入力部又はポンプ出力部のようなものは、全体的に又は部分的に、前記空気案内部の外側に配置することができる。
【００１２】
前記空気案内部が、外殻の形態にて前記モータポンプユニットを包囲すると共に、少なくとも一端側、特に端面に開口を有し、この開口を介して前記少なくとも１つの空気案内チャネルと前記空気案内チャネルとが互いの中に通じていると好ましい。前記空気案内部は、前記モータポンプユニットを全ての側で周方向に包囲することができ、この目的で例えば円筒形の又は略円筒形の形態を有することができる。前記空気案内部の少なくとも一端側、特に端面の少なくとも１つに開口が好適に存在し、開口を通る流体接続が前記空気案内部の内部と前記少なくとも１つの冷却空気チャネルの内部との間で確実になる。
【００１３】
好適には、前記少なくとも１つの冷却空気チャネルと前記空気案内部との間に封止式の流体接続を提供するために、封止要素が、前記少なくとも１つの開口の縁上に配置される。前記封止要素、例えばリング状シールは、極力封止式の流体接続を確実にする。流れる前記冷却空気からの考えられる騒音をこのようにして回避することができる。流れる冷却空気は、そうでなければ前記少なくとも１つの冷却空気チャネルと前記空気案内部との間を逸出することがあろう。前記封止要素は、更に減衰効果を有し、特に減衰要素を提供することができる。これによって、前記少なくとも１つの開口の前記縁にて、前記空気案内部と前記少なくとも１つの冷却空気チャネルとの間に付加的な振動緩和効果をもたらすことができる。
【００１４】
有利なことに、前記モータポンプユニットは、前記モータのシャフトにより駆動されるファンホイールを有し、前記ファンホイールは、前記空気案内部の開口に配置され、前記モータポンプユニットの表面に冷却空気を運搬する。前記ファンホイールは、例えば端面開口上に位置決めされ、前記冷却空気を、前記空気案内部を通って前記モータ及び前記ポンプに亘って絶えず運搬する。このようにして、前記モータポンプユニットの効果的な冷却を確実にすることができる。
【００１５】
ポンプ入力ダクト及び／又はポンプ出力ダクトが、前記空気案内部からその端側開口を通って供給されること、又は、前記高圧ポンプのポンプヘッドが前記開口を通過することを実現することができる。圧力下に置かれるべき洗浄液を供給するための前記ポンプ入力ダクト及び／又は圧力下に置かれる洗浄液用の前記ポンプ出力ダクトに、例えば、前記空気案内部の前記開口ならびに前記冷却空気チャネルを通って冷却空気を送り込み、この冷却空気を前記ハウジングから退出させることができる。
【００１６】
異なる種類の実施形態において、前記ポンプ入力ダクト及び／又は前記ポンプ出力ダクトが、前記空気案内部から横向きに、例えば軸方向に対して交差方向に供給されることを実現することができる。
【００１７】
前記ハウジングが、ハウジング壁を有し又は形成し、前記減衰要素が、前記ハウジング壁と前記空気案内部との間に位置決めされて前記ハウジング壁上で支持されると有利である。前記ハウジング壁は前記ハウジングの内部に配置又は形成される。前記空気案内部は、前記減衰要素を介して前記ハウジング壁に当接する。有利な実施形態では、このことにより、例えば前記ハウジングの内部において前記空気案内部を空中で支持することを確実にすることができ、これによって前記空気案内部の振動を広範囲に亘って散逸させ減衰することができる。
【００１８】
有利なことに、前記ハウジング壁は、前記モータポンプユニットの軸方向に対して交差方向に配向される。例えば、前記ハウジング壁は前記ハウジング内で前記軸方向に対して交差方向に配置される間仕切壁又は隔壁である。
【００１９】
前記ハウジング壁が二重壁であり、前記減衰要素が二重壁である前記ハウジング壁の壁区域間に係合すると有利である。このことにより、前記減衰要素を前記ハウジング壁上で固定して前記空気案内部の位置を前記ハウジング内で固着する可能性が与えられる。前記空気案内部の軸方向移動を防止するために、例えば前記減衰要素は、前記ハウジング壁の前記壁区域上で軸方向に支持することができる。前記空気案内部の半径方向移動は、例えば前記壁区域に接続すると共に前記減衰要素を上で支持することもできる支柱により、防止することができる。
【００２０】
本発明による前記高圧洗浄装置の有利な実施形態において、前記減衰要素が輪状に又はリング切片状に形成され、各々が、前記空気案内部を少なくとも部分的に包囲すると好ましい。有利なことに、これによって前記減衰要素は、前記モータポンプユニットの軸方向に対して交差方向にある平面内に配置される。有利なことに、前記減衰要素はリング切片区域であることを実現することができ、前記減衰要素の少なくとも２つが前記モータポンプユニットの軸方向位置に配置される。その場合、続いて記載するように、例えば前記ハウジングがハウジング半殻から構成されると有利である。ハウジング半殻上に、各切片を位置決めすることができる。その結果、前記モータポンプユニットはこのモータポンプユニットを包囲する前記空気案内部と共に、前記ハウジング半殻内へと設置することができる。続いて更なる前記切片が上に配置される更なる前記ハウジング半殻を、前記第１ハウジング半殻の上の方に位置決めし、この第１ハウジング半殻と共に接合することができる。これによって、前記高圧洗浄装置の組立てを特に単純なやり方で実行することができる。
【００２１】
前記モータポンプユニットの軸方向に関して互いから離間された少なくとも２つの位置に、それぞれ、少なくとも１つの減衰要素が、前記空気案内部を前記ハウジング上で支持するために配置されると有利である。例えば、それぞれ少なくとも１つの減衰要素が上に存在する２つの軸方向位置が存在する。例えば、各位置にて一対のリング切片状の減衰要素が存在する。
【００２２】
前記減衰要素は、例えばゴム材料又はプラスチック材料から作られる。
【００２３】
前記ハウジングを開放した後に、前記減衰要素が除去可能である、特に手動で除去可能であることを実現することができる。これによって長期使用した前記高圧洗浄装置の減衰要素の交換が単純になり、これによって前記高圧洗浄装置の静かな運転を更に維持することができる。
【００２４】
好ましくは、前記少なくとも１つの冷却空気チャネルは、少なくとも断面において、前記ハウジングの外壁と、前記外壁から距離をおいたところで前記ハウジングにより含まれる又は形成される少なくとも１つの更なるチャネル壁との間に形成される。これによって、前記少なくとも１つの冷却空気チャネルを前記ハウジングにより一体的に形成することができる。これによって、前記少なくとも１つの冷却空気チャネルの設計を簡素化するために、前記外壁は少なくとも断面において、前記冷却空気チャネルの壁を形成することができる。
【００２５】
前記少なくとも１つの更なるチャネル壁は、好適には、前記減衰要素と接触しない。これによって前記減衰要素に吸収されない、考えられる振動が前記チャネル壁に直接伝達されない。このことは、実際上、前記騒音放出の前記更なる低減にとって有利であると分かる。
【００２６】
前記少なくとも１つの冷却空気チャネルのチャネル区域が、前記高圧洗浄装置の長手方向に走り、好適には、前記高圧洗浄装置の交差方向においてその全幅又はほぼ全幅に亘って延びると好ましい。前記少なくとも１つの冷却空気チャネルは、特に、前記高圧洗浄装置の前記全長又はほぼ全長に亘って延びることができる。このようにして、前記高圧洗浄装置はコンパクトな構成を有することができる。前記モータポンプユニットは前記空気案内部と共に、前記ハウジングにより形成される内部空間に受容され、前記減衰要素によって前記ハウジング上で支持される。前記少なくとも１つの冷却空気チャネルは、前記高圧洗浄装置の全長及び／又は全幅に亘って走ることができる。
【００２７】
有利なことに、前記少なくとも１つの冷却空気チャネルは、少なくとも断面において、内側を音吸収材料によりライニングされる。騒音放出は、前記音吸収材料、例えば発泡材料により、更に低減することができる。特に、前記モータポンプユニットからの音を吸収することができる。更に前記音吸収材料により、前記冷却空気チャネル内の冷却空気からの流動騒音が減衰される。
【００２８】
本発明による前記高圧洗浄装置の有利な実施形態において、前記少なくとも１つの冷却空気チャネルは有角のやり方で構成され、前記少なくとも１つの冷却空気チャネルを流通する前記冷却空気が、少なくとも一度の向け先変更を受ける。実際上、少なくとも単一の向け先変更により、空気流に依拠する騒音放出を低減できることが示される。前記少なくとも１つの冷却空気チャネルは、曲げの領域において、好ましくは音吸収材料によりライニングされる。この曲げが、有利には約９０°である前記冷却空気の向け先変更を引き起こす。
【００２９】
前記モータポンプユニットは、有利なことに前記少なくとも１つの冷却空気チャネルのチャネル区域と平行に配向され、前記チャネル区域及び前記空気案内部を流通する前記冷却空気は、好ましくは二度、それぞれ好適には約９０°の向け先変更を受ける。前記チャネル区域及び前記空気案内部を流通する前記冷却空気は、相互に反対である方向で適切に流れることができる。これによって、前記高圧洗浄装置のコンパクトな構成を用いれば、前記ハウジング内での比較的長い空気ストリームが可能になり、大きな騒音低減が達成される。この実施形態において、前記冷却空気は、好ましくは、前記少なくとも１つの冷却空気チャネル及び前記空気案内部を、ほぼＵ字体に沿って流通する。冷却空気チャネルは、例えば断面をＬ形にして形づくることができる。
【００３０】
既に示したように、前記高圧洗浄装置は、第１冷却空気チャネルと第２冷却空気チャネルとを有することができ、前記第１冷却空気チャネルを通って大気からの冷却空気が前記モータポンプユニットに供給可能であり、前記第２冷却空気チャネルを通って冷却空気が前記モータポンプユニットから大気中へと除去可能である。その際前記空気案内部は、有利なことに、前記第１冷却空気チャネルが前記空気案内部内へと通じる及び前記空気案内部が前記第２冷却空気チャネル内へと通じる開口をそれぞれ、互いから離れた端側、特に端面上に有する。
【００３１】
前記モータポンプユニット及び前記空気案内部が、前記モータポンプユニットと平行に走る前記第１及び前記第２冷却空気チャネルのチャネル区域の間に配置され、前記冷却空気が、前記第１冷却空気チャネル、前記空気案内部、及び前記第２冷却空気チャネルを、蛇行して、特に直角に蛇行して流通すると好ましい。直角に蛇行して、特に「Ｓ字体」又は「角のあるＳ字体」に沿って前記冷却空気の向け先変更が複数回生じる。コンパクトでもある前記高圧洗浄装置の構成において、効果的な冷却及び最低可能な騒音放出のために冷却空気ストリームを比較的長くすることを確実にすることができる。
【００３２】
有利なことに、前記第１冷却空気チャネルの前記チャネル区域は前記モータポンプユニットの上方に配置され、前記第２冷却空気チャネルの前記チャネル区域はモータポンプユニットの下方に配置される。
【００３３】
別法として、前記冷却チャネルの前記チャネル区域は各々、前記モータポンプユニットに隣接させて横向きに配置することができる。
【００３４】
例えば「上方」、「下方」、「水平」又は同様のもののような位置及び配向の指定条件は、目下、水平なものとして見える地表面上での使用位置における前記高圧洗浄装置の位置決めに関するものと解釈されるべきである。前記使用位置では、前記高圧洗浄装置により規定されるタッチ面は、前記地表面により規定される接触面と一致する。
【００３５】
冷却空気を前記第１冷却空気チャネル内に進入させるハウジング開口、及び、冷却空気を前記第２冷却空気チャネルから退出させるハウジング開口が、前記ハウジング上で互いから離れた側に配置されると好ましい。これによって、前記第２冷却空気チャネルから退出する熱せられた冷却空気が前記第１冷却空気チャネル内に直接進入することを回避することができる。これによって、冷却効果の減損を大幅に回避することができる。可能であれば、前記ハウジング開口は前記高圧洗浄装置上に、互いから最大間隔で配置することができる。
【００３６】
更に、冷却空気を前記第１冷却空気チャネル内に進入させるハウジング開口は、前記高圧洗浄装置の高さ方向に関して、冷却空気を前記第２冷却空気チャネルから退出させるハウジング開口の上方に位置決めされると有利である。
【００３７】
特に冷却空気を前記第１冷却空気チャネル内に進入させる前記ハウジング開口は、前記高圧洗浄装置上で上側に配置される。このようにすれば、前記第１冷却空気チャネル内へは異物又は塵埃粒子が比較的低い確率でしか吸引されない。このことは、特に前記高圧洗浄装置を地表面上に位置決めする際に有利である。
【００３８】
前記モータポンプユニットが前記ハウジング内で水平に配向され、この場合、前記地表面も水平なものとして認められると有利であると分かっている。その際、好ましくは前記モータポンプユニットの上方及び下方にある前記第１冷却空気チャネル及び／又は前記第２冷却空気チャネルの上で言及した前記チャネル区域も、好適には水平に配向される。
【００３９】
前記第１冷却空気チャネル及び／又は第２冷却空気チャネルは、更なるチャネル区域を有することができる。特に各々の冷却空気チャネルの断面がＬ形の形態である場合、更なるチャネル区域は垂直に配向することができる。
【００４０】
前記ハウジングが２つのハウジング半殻を有し、前記モータポンプユニットが、このモータポンプユニットを包囲する前記空気案内部と併せて、前記ハウジング半殻の間に位置決めされると共に、各々のハウジング半殻のハウジング壁の端面上で、前記減衰要素によって支持され、複数の面が、それぞれ他方のハウジング半殻の方を向くと好ましい。これによって、前記高圧洗浄装置の組立てを単純なやり方で実行することができる。
【００４１】
例えば前記高圧ポンプは、軸方向ピストンポンプである。
【００４２】
本発明の好適な実施形態の以下の記載は、図面と合わせると本発明を更に説明するように働く。
【図面の簡単な説明】
【００４３】
【図１】２つのハウジング半殻を備えたハウジングを有する本発明による高圧洗浄装置の有利な実施形態の斜視図。
【図２】観察者の方を向いたハウジング半殻及び電気スイッチ要素を隠すことによりハウジングが開放した状態で示される図１に対応する図。
【図３】ハウジング内に受容される高圧洗浄装置のモータポンプユニット、ならびに前記モータポンプユニットを包囲する空気案内部が、付加的に隠される、図２に対応する図。
【図４】ハウジングが閉鎖状態のときの図２の線４‐４に沿った高圧洗浄装置の水平断面図。
【発明を実施するための形態】
【００４４】
図面は、参照符号１０を付された本発明による空冷式高圧洗浄装置の有利な実施形態を示す。高圧洗浄装置１０は、有利な実施形態において２つのハウジング半殻１４、１６から構成されるハウジング１２を含む。図１に表す、観察者の方を向いたハウジング半殻１４は、図２及び図３では、ハウジング１２の内部への見え方を示すために隠される。
【００４５】
ハウジング１２は、下側１８、上側２０、前側２２、及び裏側２４を有する。高圧洗浄装置１０は、タッチ面を規定する下側１２によって水平であると想定される図示しない地表面上の使用位置に位置決めすることができる。
【００４６】
ハウジング１２はスーツケースのように形成され、高圧洗浄装置１０を搬送するための搬送用取手２６を上側１２に含む。
【００４７】
続いて、ハウジング１２により含まれる又は形成される壁、例えば外壁又は冷却チャネルのチャネル壁又は隔壁を検討することにする。高圧洗浄装置１０の有利な実施形態において、それぞれの壁はハウジング半殻１４、１６により共に形成される。即ち各ハウジング半殻１４、１６はいずれの場合も、対応する壁の１つの区域を形成する。続いて対応する壁を備えたハウジング１２の構成を、例としてハウジング半殻１６を用いて説明することにする（図２及び図３）。対応する表現が、これらの壁をハウジング半殻１６と共に形成する他方のハウジング半殻１４にも当てはまる。
【００４８】
ハウジング１２は外壁２８を有する。外壁２８は上側２０で及び下側１８で、ハウジング１２を強化するために、二重壁であるように構成される。上側２０から前側２２への移行部において、外壁２８内に多数の貫通孔が存在する。これらの貫通孔をハウジング開口３０として共に表す。
【００４９】
対応する仕方において、外壁２８内で下側１８から裏側２４への移行部において多数の貫通孔が形成される。これらの貫通孔を、ハウジング開口３２として共に表す。
【００５０】
裏側２４で下側１８と上側２０との間のおよそ中央では、外壁２８は単一壁である。上側２０では外壁２８の二重壁区域に接続されるチャネル壁３４が、外壁２８から始まって、ハウジング内部へと分岐する。
【００５１】
これに相当する仕方において、外壁２８は前側２２では、下側１８と上側２０との間のほぼ中央において単一壁である。この上方では、外壁２８は小さい区域に亘って二重壁である。ハウジング１２の内部へと走って下側１８で外壁２８に接続されるチャネル壁３６は、二重壁になるようにそこに構成される外壁２８の区域の近傍で、外壁２８から下側１８の方向に分岐する。
【００５２】
ハウジング１２の内部に、更なるチャネル壁３８が形成される。チャネル壁３８は４つの区域を有する。第１区域４０が、前側２２にてハウジング開口３０の下方で開始する。第１区域４０は僅かに上昇しており、第２区域４２へと移行する。第２区域４２はその二重壁区域にて、ほぼ搬送用取手２６の長さ部分に亘って水平にかつ外壁３８と平行に走る。
【００５３】
第２区域４２は、ほぼ垂直に走る第３区域４４へと移行する。第３区域４４は、高圧洗浄装置１０の上側２０と下側１８との間の中央部に亘って、下側１８の方向に延びてなくなる。第３区域４４は、半円である凹部４８を有する。
【００５４】
第４区域４６が、第３区域４４を裏側２４で外壁２８にほぼ水平に接続する。
【００５５】
ハウジング１２の内部に、更なるチャネル壁５０が形成される。チャネル壁５０は、裏側２４から前側２２の方向に始まる第１区域５２を含む。第１区域５２は、裏側２４にてハウジング開口３２の上方にある外壁２８から始まった。第１区域は、下側１８の方向において僅かに下降しており、第２区域５２へと移行する。第２区域５４はその二重壁区域内で、水平にかつ外壁２８と平行に走る。
【００５６】
第２区域５４は、断面がＣ形である第３区域５６へと移行するのであり、チャネル壁５０は、まず上側２０の方向に、続いて裏側２４の方向に屈曲する。
【００５７】
第３区域５６には第４区域５８が接続する。第４区域は上側２２の方向にほぼ垂直に走り、この第４区域に、例えばステッピング６０が設けられる。第４区域５８は、チャネル壁３８の第１区域４０に又は第２区域４２に接続される。第４区域５８内に、半円である凹部６２が形成される。
【００５８】
ハウジング１２は内部において、先に記載したチャネル壁３４〜３８及び５０により、実質３つの区域に、つまり第１冷却空気チャネル６４、受容空間６６、及び第２冷却空気チャネル６８に細分化される。
【００５９】
第１冷却空気チャネルは、ハウジング開口３０から始まって、チャネル区域７０でもって高圧洗浄装置１０の長手方向７２に、ほぼその全長に亘って延びる。これによって、チャネル区域７０は上側で外壁２８により結合され、下側でチャネル壁３８の区域４０及び４２により結合される。
【００６０】
チャネル区域７０に、ほぼ垂直に走るチャネル区域７４が接続する。チャネル区域７４は、第３区域４４、チャネル壁３４、外壁２８、及び第４区域４６間に形成される。チャネル区域７４は凹部４８の底縁まで延びる。
【００６１】
第１冷却空気チャネル６４は高圧洗浄装置１０の交差方向７６において、その全幅に亘って延びる。
【００６２】
高圧洗浄装置１０の依然記載されるモータポンプユニットに、第１冷却空気チャネル６４によって冷却空気を供給することができる。
【００６３】
第１冷却空気チャネル６４は、断面においてほぼＬ形状を有する。即ち、冷却空気チャネル６４は有角のやり方で構成される。チャネル区域７０からチャネル区域７４への移行部において、約９０°の冷却空気の向け先変更が生じる。冷却空気は、第２チャネル区域７４から始まって、凹部４８を通過する際に約９０°の更なる向け先変更を受ける（以下を参照のこと）。
【００６４】
内部上では、第１冷却空気チャネル６４は断面において音吸収材料７８を用いてライニングされる。音吸収材料７８、例えば発泡材料は、例えば外壁２８上の内部上、少なくとも第２区域４２の上方に配置され、チャネル壁３４へと延びる。音吸収材料７８はチャネル壁３４及び外壁上の内部上を第４区域４６へ更に走ることができる。有利なことに、音吸収材料７８は第２区域４２内にも配置される。
【００６５】
第２冷却空気チャネル６８は、凹部６２から始まってチャネル区域８０でもって下側１８の方向にほぼ垂直に延びる。チャネル区域８０は、区域４０、チャネル壁５０の区域５６及び５８、外壁２８、ならびにチャネル壁３６により結合される。
【００６６】
下側１８では、チャネル区域８０は、チャネル壁３６から裏側２４まで延びるチャネル区域８２へと移行する。これによって、チャネル区域８２は大体、高圧洗浄装置１０の全長に亘って長手方向７２に延びる。チャネル区域８２は、上側で区域５４及び５２により結合され底側で外壁２８により結合される。
【００６７】
冷却空気チャネル６８も、交差方向７６において高圧洗浄装置１０の全幅に亘って延びる。
【００６８】
第２冷却空気チャネル６８も、チャネル区域８０とチャネル区域８２との間に曲げを備えた、断面がＬ形の外形を有する。冷却空気は第２冷却空気チャネル６８を流通すると、凹部６２のすぐ後方に約９０°向け先変更される。チャネル区域８０及び８２間の曲げの領域では、約９０°の更なる向け先変更が生じる。
【００６９】
第２冷却空気チャネル６８も、断面において音吸収材料７８を用いてライニングされる。例えば、特に第２区域５４と対向している外壁２８上の内部上に音吸収材料１８が配置されるが、好適には音吸収材料７８はこの第２区域上にも配置される。音吸収材料７８は、有利なことに第１区域４０まで、チャネル壁３８及び外壁２８に沿っても配置される。
【００７０】
受容空間６６は、チャネル壁３８とチャネル壁５０との間に形成される。ハウジング１２は、受容空間６６内にハウジング壁８４及び８６を含む。それぞれのハウジング壁８４、８６が、長手方向７２に対して交差方向に配向され、壁区域８８及び９０でもって二重壁になるように構成される。支柱９２が壁区域８８及び９０同士を接続する。各ハウジング壁８４、８６上に凹部９４が存在する。
【００７１】
ハウジング壁８４、８６は、長手方向７２において互いから離間される。ハウジング壁８４は、ほぼ搬送用取手２６の後端の領域に配置され、ハウジング壁８６は、ほぼ搬送用取手２６の前端の領域に配置される。ただしこの配置は異なることもできる。
【００７２】
長手方向７２において後方から前方へこのように続いているのは、まず第３区域４４であり、第３区域から距離をおいてハウジング壁８４、ハウジング壁８４から距離をおいてハウジング壁８６、そしてハウジング壁８６から距離をおいて第４区域５８である。
【００７３】
ハウジング壁８４、８６は、或る程度、長手方向７２において受容空間６６を細分化すると共に交差方向７６に配向される隔壁である。
【００７４】
高圧洗浄装置１０はモータポンプユニット９６を有する。モータポンプユニット９６は、軸１０２を規定するシャフト１００を有するモータ９８を含む。モータポンプユニット９６は、目下、軸１０２が長手方向７２に走るような仕方で、即ち長手方向７２が軸方向であるような仕方で、高圧洗浄装置１０上に配置される。軸１０２は水平に配向されるため、この軸は高圧洗浄装置１０により規定されるタッチ面と平行に走る。
【００７５】
モータポンプユニット９６は、更に、軸方向ピストンポンプとして構成される高圧ポンプ１０４を含む。高圧ポンプ１０４は、ポンプヘッド１０６を含み、ポンプヘッド１０６の上に、ポンプ入力ダクト１０８及びポンプ出力ダクト１１０が配置される。
【００７６】
シャフト１００上では、ファンホイール１１２が回転不可能に保持される。
【００７７】
モータポンプユニット９６は、裏側２４から出発してまずファンホイール１１２にモータ９８が続き、続いて高圧ポンプ１０４が続き、この高圧ポンプからダクト１０８、１１０が延びるような仕方で、ハウジング１２内に受容される。
【００７８】
高圧洗浄装置１０は空気案内部１１４を有する。空気案内部１１４は略円筒形の形態を有し、モータポンプユニット９６と同心円状に配向される。空気案内部１１４は、軸１０２の周方向において全ての側でモータポンプユニット９６を包囲し、モータポンプユニットの、裏側２４の方を向いた端部からポンプヘッド１０６へと延びる。
【００７９】
空気案内部１１４内では、端部区域にて、つまり裏側２４の方を向いた端面１１６上に、開口１１８が形成される。開口１１８は、ハウジング半殻１４上の対応する凹部と組み合わさって第１冷却空気チャネル６４の出口開口を形成する凹部４８と整列する。開口１１８の縁上に、リングの形態の封止要素１２０が配置される。
【００８０】
対応する仕方において、空気案内部１１４内で端部区域にて、つまり空気案内部１１４の前側２２の方を向いた端面１２２上に、開口１２４が形成される。開口１２４は、ハウジング半殻１６上の対応する凹部と組み合わさって第２冷却空気チャネル６８への入口開口を形成する凹部６２と整列する。開口１２４の縁上に、特にリング又は部分リング又はリング切片の形態の封止要素１２６が配置される。封止要素１２６は、目下、リング切片ではない。電気切替要素１２７上に配置される封止要素（図示せず）によって、開口１２４の縁での更なる封止が生じる。
【００８１】
封止要素１２０により、第１冷却空気チャネル６４と空気案内部１１４との間の封止式の流体接続が確実になり、封止要素１２６、ならびに図示しない更なる封止要素により、空気案内部１１４と第２冷却空気チャネル６８との間の封止式の流体接続が確実になる。
【００８２】
高圧洗浄装置１０は、更に空気案内部１１４がハウジング１２上でそれによって支持される減衰要素１２８を有する。
【００８３】
減衰要素１２８は、例えば振動を吸収する弾性ゴム材料又はプラスチック材料から作成され、モータポンプユニット９６の運転に起因した、空気案内部１１４とハウジング１２との間の振動を吸収するように働く。
【００８４】
減衰要素１２８は、目下輪状に、そして特にリング切片１３０として、構成される。各減衰要素１２８は、軸１０２の周方向において、大体１８０°、例えば約１５０°から約１７０°までの孤に亘って（図３）、延びる。２つの各減衰要素１２８は、ハウジング壁８４及びハウジング壁８６に関連する（それぞれの他方のハウジング半殻１４の、対応するハウジング壁を包含する）。
【００８５】
減衰要素１２８は空気案内部１１４を、軸１０２の周方向において、軸に対して交差方向に包囲する。
【００８６】
それぞれの減衰要素１２８が、ハウジング壁８４上で保持される。減衰要素は、軸方向においてその壁区域８８及び９０間の凹部９４の領域に挿入される。半径方向では、減衰要素１２８はハウジング壁８４の支柱９２上で支持することができる。同じことが、更なるハウジング壁８６の壁区域８８及び９０上の凹部９４の領域において支柱９２上で支持することのできる、更なる減衰要素１２８に当てはまる。
【００８７】
このようにして、空気案内部１１４がハウジング１２上で、つまりそのハウジング壁８４、８６上で、減衰要素１２８によって支持されることが可能である。軸方向でも半径方向でも固定が可能である。
【００８８】
高圧洗浄装置１０は特に静かな運転を特色とする。このことは、少なくとも１つの冷却空気チャネル６４、６８を提供することに加えて、更にハウジング１２上で空気案内部１１４をそれによって支持することのできる減衰要素１２８を提供することにより達成される。
【００８９】
高圧洗浄装置１０の運転中、大気から冷却空気がハウジング開口３０を通って引き寄せられる。冷却空気は第１冷却空気チャネル６４を流通し、これによって二度偏向され、開口１１８を介して空気案内部１１４内に進入する。空気案内部１１４内では、冷却空気によりモータポンプユニット９６が効果的に冷却される。
【００９０】
続いて冷却空気は、空気案内部１１４から開口１２４を介して退出し、二度向け先変更され、第２冷却空気チャネル６８をハウジング開口３２へ、そしてこのハウジング開口を大気中へと流通する。矢印１３２は冷却空気の流れ方向を示す。
【００９１】
結果として、冷却空気は高圧洗浄装置１０内で直角に蛇行して、冷却空気チャネル６４、空気案内部１１４、及び冷却空気チャネル６８を流通する。冷却空気の複数の偏向により、空気流に起因して発生する騒音放出を少なく保つことができる。冷却空気チャネル６４及び６８内に音吸収材料７８を提供することも、特に有利である。更に、上側２０及び下側１８に沿ったこれらの冷却空気チャネルが細隙様の外形であることにより、高圧洗浄装置１０の一層静かな運転が提供される。
【００９２】
空気案内部１１４内の冷却空気の流れに起因して発生する騒音を、既に述べた空気案内部１１４により減衰することができる。モータポンプユニット９６の運転の理由による、空気流に起因した、特に構造伝播音にも起因した、考えられる空気案内部１１４の振動を、減衰要素１２８によって効果的に吸収することができる。ハウジング１２に対する振動は著しく低減されるため、結果として特に静かな高圧洗浄装置１０が実現される。
【００９３】
ポンプ入力ダクト１０８及びポンプ出力ダクト１１０が前側２２でチャネル区域８０、音吸収材料７８、及び外壁２８を通過する。ダクト１０８、１１０は、これらのダクトが通過する外壁２８の開口の縁から離間される。従って、ダクト１０８、１１０によりハウジング１２に伝達される振動もない。
【００９４】
同時に高圧洗浄装置１０は、冷却空気チャネル６４、６８のそれぞれの曲げに起因した特にコンパクトな構成を有する。これによって、高圧洗浄装置１０は輸送が単純になる。
【００９５】
更に、ハウジング開口３０、３２が、ハウジング１２上の、互いから離れた両側に配置されることが有利である。これによって、熱せられた冷却空気を実質回避することができる。熱せられた冷却空気はハウジング開口３２を介して大気中に達するが、即座にハウジング開口３０を介して冷却空気チャネル６４内へと再度引き寄せられる。
【００９６】
更に、ハウジング開口３０が高圧洗浄装置１０上で上側に配置されることが有利である。これによって、例えば塵埃のような異物がハウジング内部に引き込まれる確率が低減される。
【符号の説明】
【００９７】
１０  高圧洗浄装置
１２  ハウジング
１４  ハウジング半殻
１６  ハウジング半殻
１８  下側
２０  上側
２２  前側
２４  裏側
２６  搬送用取手
２８  外壁
３０  ハウジング開口
３２  ハウジング開口
３４  チャネル壁
３６  チャネル壁
３８  チャネル壁
４０  第１区域
４２  第２区域
４４  第３区域
４６  第４区域
４８  凹部
５０  チャネル壁
５２  第１区域
５４  第２区域
５６  第３区域
５８  第４区域
６０  ステッピング
６２  凹部
６４  第１冷却空気チャネル
６６  受容空間
６８  第２冷却空気チャネル
７０  チャネル区域
７２  長手方向
７４  チャネル区域
７６  交差方向
７８  音吸収材料
８０  チャネル区域
８２  チャネル区域
８４  ハウジング壁
８６  ハウジング壁
８８  壁区域
９０  壁区域
９２  支柱
９４  凹部
９６  モータポンプユニット
９８  モータ
１００  シャフト
１０２  軸
１０４  高圧ポンプ
１０６  ポンプヘッド
１０８  ポンプ入力ダクト
１１０  ポンプ出力ダクト
１１２  ファンホイール
１１４  空気案内部
１１６  端面
１１８  開口
１２０  封止要素
１２２  端面
１２４  開口
１２６  封止要素
１２７  切替要素
１２８  減衰要素
１３０  リング切片
１３２  矢印流れ方向
【図１】
2018535821.tif 000003
【図２】
2018535821.tif 000004
【図３】
2018535821.tif 000005
【図４】
2018535821.tif 000006
【国際調査報告】
2018535821.tif 000007
2018535821.tif 000008
2018535821.tif 000009
2018535821.tif 000010